(57)【要約】【課題】商品載置部上に載置した商品の上下両側に発光ラインを形成することで、商品の存在を強調して、目を惹きつけるような商品展示が可能な展示台を提供する。【解決手段】１枚ものの透明板を折り曲げて、前後方向に延びる設置部１１と、設置部１１の後端縁から上方へ延びる支持部１２と、支持部１２の上端縁から前方斜め下側へ傾斜状に延びる商品載置部１３と、商品載置部１３の下端縁から前方斜め上側へ延びる受け部１４とを設けた展示台本体１０と、設置部１１の前縁から設置部１１内へ向けて投光可能な投光手段２０とを備えた。【選択図】図１
2012024425.tif 000002
【特許請求の範囲】
【請求項１】
１枚ものの透明板を折り曲げて、前後方向に延びる設置部と、設置部の後端縁から上方へ延びる支持部と、支持部の上端縁から前方斜め下側へ傾斜状に延びる商品載置部と、商品載置部の下端縁から前方斜め上側へ延びる受け部とを設けた展示台本体と、
前記設置部の前縁から設置部内へ向けて投光可能な投光手段と、
を備えたことを特徴とする展示台。
【請求項２】
前記投光手段は、左右方向に間隔をあけて前記設置部の前縁に対面させて設けた複数の発光ダイオードであって、１灯内に複数色の発光部を組み込んだ複数の発光ダイオードと、該複数の発光ダイオードの発光形態を制御する制御手段とを備えた請求項１記載の展示台。
【請求項３】
前記投光手段の左右両側に電気的に接続された電源ジャックを設け、一方の電源ジャックを受電用ジャックとして、また他方の電源ジャックを隣接する展示台の投光手段への給電用ジャックとして利用可能となした請求項１又は２記載の展示台。
【請求項４】
前記設置部を省略して、前記投光手段により支持部の下端部から支持部内へ向けて投光する請求項１〜３のいずれか１項記載の展示台。
【請求項５】
前記商品載置部に、複数の載置部を階段状に設け、隣接する載置部間に前方斜め上側へ延びる段部を形成した請求項１〜４のいずれか１項記載の展示台。
【請求項６】
前記商品載置部の裏面側に紙片挿入用のポケットを形成した請求項１〜５のいずれか１項記載の展示台。
【請求項７】
前記商品載置部の裏面側に見本商品を保持する保持部を設けた請求項１〜６のいずれか１項記載の展示台。
【請求項８】
前記設置部の後方に前方下がりの傾斜状に投影面を設けた請求項１〜７のいずれか１項記載の展示台。
【発明の詳細な説明】
【技術分野】
【０００１】
本発明は、小型商品を展示するのに好適な展示台に関する。
【背景技術】
【０００２】
従来、ＣＤやＤＶＤ、ゲームソフト等の記録媒体や、携帯電話やデジタルカメラ、携帯用オーディオ装置などの小型商品の展示方法として、利用者から見やすいように、前方斜め下側に傾斜する載置部を有する棚や展示台に商品を載置して展示方法が広く採用されている。
【０００３】
一方、商品の展示や広告の表示を行うディスプレイ装置として、所定厚さの透明板と、透明板の下端に設けた発光手段とを備え、透明板の表面若しくは裏面に所定の溝部が形成し、発光手段からの光を透明板の下端部から透明板内に導いて、前記溝部及び透明板の上端部を発光させ、装飾効果を高めるように構成したものが提案されている（例えば、特許文献１参照。）。
【先行技術文献】
【特許文献】
【０００４】
【特許文献１】特開平０８−１４６８９４号公報
【発明の概要】
【発明が解決しようとする課題】
【０００５】
特許文献１記載の発明は、商品展示棚の仕切板、広告掲示板、展示商品の背後に設置される装飾板として使用することで、商品の展示効果を高めるように構成したものであるが、商品自体はディスプレイ装置とは別途に設けた設置台や棚に設置するので、ディスプレイ装置と商品間の距離が大きくなり、その分商品の装飾効果が低下するという問題がある。
【０００６】
本発明の目的は、商品載置部上に載置した商品の上下両側に発光ラインを形成することで、商品の存在を強調して、目を惹きつけるような商品展示が可能な展示台を提供することである。
【課題を解決するための手段】
【０００７】
本発明に係る展示台は、１枚ものの透明板を折り曲げて、前後方向に延びる設置部と、設置部の後端縁から上方へ延びる支持部と、支持部の上端縁から前方斜め下側へ傾斜状に延びる商品載置部と、商品載置部の下端縁から前方斜め上側へ延びる受け部とを設けた展示台本体と、前記設置部の前縁から設置部内へ向けて投光可能な投光手段とを備えたものである。
【０００８】
この展示台では、設置部の前縁から設置部内に導入された光は、設置部を通って後方へ案内されて、設置部と支持部間の折曲部を経て支持部内に案内され、次に支持部を通って上方へ案内されて、支持部と商品載置部間の折曲部を経て商品載置部へ導入され、次に商品載置部を通って前方斜め下側へ案内されて、商品載置部と受け部間の折曲部を経て受け部に導入される。そして、設置部内に導入された光は、折曲部において外部へ漏れるとともに、受け部の前端部において外部へ漏れることになるが、支持部と商品載置部間の折曲部と受け部の前縁部においては、展示台の前側へ向けて光が漏れることになるので、該部分が線状に発光することになる。このように、商品載置部の上下両側に線状の発光部分が商品に近接して形成されるので、商品載置部に載置した商品の存在を強調した展示が可能となり、人目を惹きつけるような効果的な商品展示が可能となる。
【０００９】
ここで、前記投光手段は、左右方向に間隔をあけて前記設置部の前縁に対面させて設けた複数の発光ダイオードであって、１灯内に複数色の発光部を組み込んだ複数の発光ダイオードと、該複数の発光ダイオードの発光形態を制御する制御手段とを備えることが好ましい実施の形態である。単色の発光ダイオードを用いることも可能であるが、発光形態が単純なものとなり、装飾効果が低下するので、１灯内に複数色の発光部を組み込んだ発光ダイオードを用いて、発光形態を段階的或いは連続的に切り替えることで、動的な色変化により装飾効果を高めることが好ましい。なお、発光形態は、展示する商品のイメージなどに応じて任意に設定できるように構成することができる。
【００１０】
前記投光手段の左右両側に電気的に接続された電源ジャックを設け、一方の電源ジャックを受電用ジャックとして、また他方の電源ジャックを隣接する展示台の投光手段への給電用ジャックとして利用可能となすことも好ましい実施の形態である。この場合には、展示台の左側と右側のどちら側からでも給電が可能となるので、設置場所などに応じた電源コードの配線が可能で、しかも複数の展示台を隣接して配置させる場合には、一端の展示台の受電用ジャックに電源コードを接続し、隣接する展示台間においては受電用ジャックと給電用ジャックとを接続コードで接続するだけで、複数の展示台への給電を行うことができるので、各展示台の投光手段に対して個別に電源コードを接続する場合と比較して、電源コードの配線を格段に簡素化できる。
【００１１】
前記設置部を省略して、前記投光手段により支持部の下端部から支持部内へ向けて投光することもできる。
【００１２】
前記商品載置部に、複数の載置部を階段状に設け、隣接する載置部間に前方斜め上側へ延びる段部を形成することもできる。この場合には、段部と載置部間の折曲部が線状に発光することになり、複数の載置部の上下両側をそれぞれ発光させることができる。
【００１３】
前記商品載置部の裏面側に紙片挿入用のポケットを形成することも好ましい。このように構成すると、ポケットに対して背景や商品説明等を印刷した紙片を挿入することで、該紙片により商品の背景を装飾したり、該商品の説明等を行ったりすることができる。
【００１４】
前記商品載置部の裏面側に見本商品を保持する保持部を設けることが好ましい実施の形態である。この場合には、例えば商品載置部に載置した商品が売れた場合でも、商品載置部の下側に見本商品が配置されるので、商品の展示効果を確保できる。
【００１５】
前記設置部の後方に前方下がりの傾斜状に投影面を設けることも好ましい実施の形態である。このように構成すると、設置部と支持部間の折曲部から後方へ漏れた光を投影面に投影させて、商品の後方を装飾することができる。しかも、該折曲部におけるプリズム効果で、投影面に投射する光が分光されるので、柔らかい幻想的な装飾が可能となる。
【発明の効果】
【００１６】
本発明に係る展示台によれば、商品載置部の上下両側に線状の発光部分が商品に近接して形成されるので、商品載置部に載置した商品の存在を強調した展示が可能となり、人目を惹きつけるような効果的な商品展示が可能となる。
【図面の簡単な説明】
【００１７】
【図１】展示台の斜視図
【図２】展示台の側面図
【図３】投光手段の斜視図
【図４】投光手段の制御系の概略構成図
【図５】他の構成の展示台の斜視図
【図６】他の構成の展示台の斜視図
【図７】他の構成の展示台の側面図
【図８】他の構成の展示台の（ａ）は側面図、（ｂ）は（ａ）のＡ矢視図
【図９】他の構成の展示台の側面図
【図１０】他の構成の展示台の側面図
【発明を実施するための形態】
【００１８】
次に、本発明の実施形態について、添付図面を参照しながら詳細に説明する。
図１〜図４に示すように、展示台１は、１枚ものの透明板を折り曲げて、前後方向に略水平に延びる設置部１１と、設置部１１の後端縁から上方へ略鉛直に延びる支持部１２と、支持部１２の上端縁から前方斜め下側へ傾斜状に延びる商品載置部１３と、商品載置部１３の下端縁から前方斜め上側へ延びる受け部１４とを設けた展示台本体１０と、設置部１１の前縁から設置部１１内へ向けて投光可能な投光手段２０とを備えている。
【００１９】
展示台１では、任意の構成の商品Ｇを展示できるが、特に小型軽量な商品Ｇの展示に好適で、例えばノートパソコンや携帯電話、デジタルカメラや携帯オーディオ装置のような小型電子機器や、映画や音楽などを記憶させたＤＶＤやＣＤなどの記憶媒体や、時計や宝石などの貴金属類、書籍などを好適に展示できる。
【００２０】
展示台本体１０を構成する透明板としては、ポリスチレン、ＡＳ樹脂、メタクリル樹脂、ポリエチレン、ポリプロピレン、ポリカーボネートなどの透明な合成樹脂材料で構成することができる。熱可塑性樹脂で構成する場合には、透明板の折曲位置を部分的に加熱軟化させた状態で、該透明板を折り曲げることによって、平坦な設置部１１と支持部１２と商品載置部１３と受け部１４とを有する形状に成形することができる。
【００２１】
展示台本体１０の厚さは任意に設定できるが、薄すぎると展示する商品Ｇの重量を支持できず、厚すぎると展示台本体１０の素材コストが高くなるので、少なくとも強度とコストを考慮して最適な厚さに設定することが好ましい。展示台本体１０の幅は、展示台本体１０の全長にわたって同じ幅に設定することが、展示台本体１０を構成する透明板の製作コストを安くする上で好ましいが、展示台本体１０の途中部や端部が部分的に幅広や幅狭になるように構成することもできる。また、展示台本体１０を左右方向に幅広に構成して、１つの展示台本体１０の商品載置部１３に対して複数の商品Ｇを左右方向に相互に間隔をあけて載置できるように構成することも可能である。
【００２２】
設置部１１の前後方向の長さは、展示台本体１０を安定的に設置可能な長さであれば任意の長さに設定できる。支持部１２の上下方向の長さは、任意に設定できるが、展示台１とその周辺の展示物等との高さのバランスを考慮して、周辺の展示物等よりもやや高くなるように設定することが好ましい。商品載置部１３の前後方向及び左右方向の長さは任意に設定できるが、商品載置部１３の前後方向の長さを展示する商品Ｇの前後方向の長さよりも多少長く設定し、商品載置部１３の幅を展示する商品Ｇの左右方向の長さよりも多少長く設定して、商品載置部１３に商品Ｇを載せた状態で、商品Ｇの上側及び左右両側に一定幅の商品載置部１３を露出させて、フレーム効果により展示する商品Ｇが際立つように構成することが好ましい。受け部１４の長さは、展示する商品Ｇの厚さに応じて任意に設定できるが、後述のように先端部を発光させる関係上、展示する商品Ｇの厚さよりもやや長く設定して、商品Ｇの下端部で発光部分が遮られないように構成することが好ましい。
【００２３】
設置部１１と支持部１２とは第１折曲部１５を介して略直角に折り曲げられ、設置部１１と支持部１２とは第２折曲部１６を介して例えば３５°の角度をつけて折り曲げられ、商品載置部１３と受け部１４とは第３折曲部１７を介して略直角に折り曲げられている。ただし、第１〜第３折曲部１５〜１７における折り曲げ角度は、展示している商品Ｇの見やすさや、展示台１のデザイン性などを考慮して任意に設定可能である。
【００２４】
投光手段２０は、設置部１１の前端部に固定した側面視略Ｌ字状のケーシング２１と、設置部１１の前端部に対面させてケーシング２１内に左右方向に間隔をあけて設けた複数の発光ダイオード２２と、発光ダイオード２２の発光形態を制御する制御手段２３とを備えている。
【００２５】
ケーシング２１の前半部は後半部よりも設置部１１の板厚分だけ厚肉に構成され、ケーシング２１の下面側においてケーシング２１の前半部と後半部との境界部には設置部１１の板厚と同じ高さの段差部２４が形成され、図１、図２に示すように、ケーシング２１は、段差部２４を設置部１１の前端面に突き合わせるとともに、ケーシング２１の後半部を設置部１１の上面後部に載置して、図示外の両面テープやビスなどにより設置部１１に固定されている。
【００２６】
発光ダイオード２２は、その先端部を段差部２４の高さ方向の途中部に露出させて左右方向に間隔をあけて設けられ、発光ダイオード２２の光は、段差部２４から後方へ向けて投光され、設置部１１の前端部から設置部１１内に導入される。なお、本実施の形態では、投光手段２０に４つの発光ダイオード２２を設けたが、４つ以外の個数の発光ダイオード２２を設けることも可能である。
【００２７】
発光ダイオード２２としては、単色の発光ダイオードを用いることも可能であるが、赤色と緑色と青色とに発光する３つの発光部を１灯に組み込んだ１灯多色の発光ダイオードを用いると、３つの色の組合せにより、発光色を任意に調整でき、発光形態の自由度を拡大できるので好ましい。ただし、色の異なる単色の発光ダイオードを複数組み合わせて用いることもできる。
【００２８】
ケーシング２１の左右両側部には電源ジャック２５が設けられ、両電源ジャック２５は電気的に接続されて、一方の電源ジャック２５を受電用ジャックとして、また他方の電源ジャック２５を隣接する展示台１の投光手段２０への給電用ジャックとして利用できるように構成されている。このようにケーシング２１の左右両側に電源ジャック２５を設けると、展示台１の左側と右側のどちら側からでも給電が可能となるので、設置場所などに応じた電源コード２６の配線が可能で、しかも複数の展示台１を隣接して配置させる場合には、一端の展示台１の受電用ジャックに電源コード２６を接続し、隣接する展示台１間においては受電用ジャックと給電用ジャックとを接続コード２７で接続するだけで、複数の展示台１への給電を行うことができるので、各展示台１の投光手段２０に対して個別に電源コード２６を接続する場合と比較して、電源コード２６の配線を格段に簡素化できる。ただし、ケーシング２１の片側にのみ電源ジャック２５を設けることも可能である。なお、符号２８は、電源スイッチである。
【００２９】
制御手段２３は、ＣＰＵとＲＯＭとＲＡＭを備えており、ＲＡＭには発光させる発光ダイオード２２の発光のタイミングや発光時間などの発光手順を示す発光手順データなどが予め記憶され、ＲＯＭには発光ダイオード２２への通電を制御するためのドライバや、ＲＡＭに記憶した発光手順データに沿って発光ダイオード２２を制御する制御プログラムなどが予め記憶されている。
【００３０】
発光手順データは、１つだけ設けることも可能であるが、手順の異なる複数種類の発光手順データを設けると、展示する商品Ｇのイメージなどに応じて発光形態を選択できるので好ましい。また、発光手順データを複数設ける場合には、複数の発光手順データの中から１乃至複数の発光手順データを選択したり、複数の発光手順データの中からランダムに発光手順データを選択したりして、選択した１乃至複数の発光手順データの手順にしたがって、発光ダイオード２２を順次発光させることができる。ただし、制御手段２３のＲＡＭに発光手順データを記憶させないで、複数の発光ダイオード２２を単にランダムに発光させるように構成することも可能である。また、制御手段２３をパソコンに接続可能に構成するとともに、利用者の好みに応じて予めパソコンにより発光手順データを設定可能となし、利用者が作成した発光手順データをパソコンから制御手段２３に転送して、制御手段２３のＲＡＭに記憶させ、該発光手順データに沿って発光ダイオード２２を発光させるように構成することもできる。更に、商品Ｇの説明用の音声を予め制御手段２３のＲＡＭなどに記憶させておき、該説明用の音声に連動させて発光形態を変化させるように構成することも可能である。
【００３１】
この展示台１では、発光ダイオード２２からの光は、設置部１１の前端面から設置部１１内に導入されて設置部１１を通って後方へ案内され、次に設置部１１と支持部１２間の第１折曲部１５を経て支持部１２内に案内されて、支持部１２を通って上方へ案内され、次に支持部１２と商品載置部１３間の第２折曲部１６を経て商品載置部１３へ導入されて、商品載置部１３を通って前方斜め下側へ案内され、次に商品載置部１３と受け部１４間の第３折曲部１７を経て受け部１４に導入され、受け部１４の先端部から外部へ投光される。また、設置部１１内に導入された光は、各折曲部においてその一部が外部へ漏れることになるが、支持部１２と商品載置部１３間の第２折曲部１６においては展示台１の前側へ向けて光が漏れ、また受け部１４の前端部においても展示台１の前側へ向けて光が漏れるので、展示台１の前側に居る人には、第２折曲部１６及び受け部１４の先端部が線状に発光しているように見えることになる。つまり、商品載置部１３の上下両側に線状の発光部分が商品Ｇに近接して形成されるので、商品載置部１３に載置した商品Ｇの存在を強調した展示が可能となり、人目を惹きつけるような効果的な商品展示が可能となる。しかも、発光手順データにしたがって、発光色を切換えながら複数の発光ダイオード２２を順次発光させることで、多様な発光形態を実現して、一層効果的に人目を惹きつけるような商品Ｇの展示が可能となる。
【００３２】
なお、受け部１４の先端面や第２折曲部１６の表面を磨硝子状に粗面に加工したり、表面を磨硝子状に粗面に加工したシート材を貼り付けたりして、粗面で光を乱反射させたり、受け部１４の先端面や第２折曲部１６の表面に蛍光塗料を塗布して、光で蛍光塗料を発光させたりすることで、任意の角度から線状の発光部分を目視できるように構成することもできる。また、商品載置部１３などにブラスト処理等により文字や絵柄を刻設したり、蛍光塗料で文字や絵柄を記載したりして、該文字や絵柄が発光するように構成してもよい。更に、受け部１４の端部は直線状に形成してもよいが、円弧状や曲線状、サイン波や矩形はなどの波形状など、任意の形状に形成することも可能である。
【００３３】
次に、展示台１の構成を部分的に変更した他の実施形態について説明する。なお、前記実施形態と同一部材には同一符号を付してその詳細な説明を省略する。
【００３４】
（１）図１、図２に仮想線で示すように、ケーシング２１と支持部１２間において設置部１１の上側に、ケーシング２１の上面と面一のスペーサ板３０を固定し、スペーサ板３０の上面とケーシング２１の上面とで略平坦な平坦面を殆ど隙間なく形成して、該平坦面に商品Ｇのストック品などを載置できるように構成することもできる。この場合には、商品Ｇの重量や大きさなどに応じて展示台本体１０の寸法を変更する場合でも、スペーサ板３０を取り替えるだけで、スペーサ板３０の上面とケーシング２１の上面とで略平坦な平坦面を殆ど隙間なく形成することができる。
【００３５】
（２）図５に示す展示台１Ａにおける投光手段２０Ａのケーシング２１Ａのように、ケーシング２１Ａの後部を設置部１１の略全面に対面させて設置部１１の下面側に設け、ケーシング２１Ａの前部を後部よりも設置部１１の厚さ分だけ厚肉に構成し、ケーシング２１Ａの上面側においてケーシング２１Ａの前半部と後半部との境界部に設置部１１の板厚と同じ高さの段差部２４Ａを形成し、段差部２４Ａを設置部１１の前端面に突き合わせるとともに、ケーシング２１Ａの後部を設置部１１の下面に重ね合わせ、ケーシング２１Ａの前部の上面を設置部１１の上面と略面一に配置して、図示外のビスなどにより設置部１１に固定することもできる。この場合には、設置部１１の上面とケーシング２１Ａの前部の上面とで平坦面を形成し、この平坦面上に商品Ｇのストック品などを載置できる。
【００３６】
（３）図６に示す展示台１Ｂにおける投光手段２０Ｂのケーシング２１Ｂのように、前記展示台１Ａにおけるケーシング２１Ａの後端部に展示台本体１０の後方に配置される台形状の投影台３１を設け、投影台３１の前面に前方下がりの傾斜状の投影面３２を形成し、設置部１１と支持部１２間の第１折曲部１５から後方へ漏れる光をこの投影面３２に投射して、商品Ｇの後方に対して装飾効果を付与することもできる。また、この場合には、設置部１１と支持部１２間の第１折曲部１５から後方へ漏れる光が、第１折曲部１５におけるプリズム効果で上下方向に分光されて、左右方向に細長い同色の光の帯が投影面３２に投射されて、柔らかい幻想的な光の帯を形成するので、装飾効果を一層向上できる。
【００３７】
（４）図７に示す展示台１Ｃの展示台本体１０Ｃのように、平坦な商品載置部１３に代えて、前後方向の途中部に複数の段部３３を形成し、段部３３の前後両側に平坦な載置部３４を形成した階段状の商品載置部１３Ｃを設けることもできる。この場合には、商品Ｇの下端部を段部３３に支持させて、複数の商品Ｇを商品載置部１３Ｃに展示することができる。しかも、段部３３と載置部３４間に折曲部３５が形成され、上側の折曲部３５からは展示台１の前側へ光が漏れ出して、展示台１の前側から見たときに、上側の折曲部３５が線状に発光するので、各載置部３４の上下両端部に線状の発光部分を形成して、載置部３４に展示した商品Ｇの存在を効果的にアピールできる。
【００３８】
（５）図８（ａ）（ｂ）に示す展示台１Ｄのように、商品載置部１３の裏面側に透明な薄板３６をその外周３辺を商品載置部１３の裏面側に固定して設け、商品載置部１３と薄板３６とで紙片３７を側方より出し入れ可能に保持するポケット３８を形成し、ポケット３８に挿入する紙片３７に、商品Ｇの説明文や、商品Ｇを装飾する文字や図柄等を印刷して、商品Ｇの展示効果を向上することも可能である。
【００３９】
（６）図９に示す展示台１Ｅのように、商品載置部１３の前端下部に保持部４０を形成し、この保持部４０により商品載置部１３の裏面側に対して見本商品Ｇを保持するように構成してもよい。この場合には、例えば商品載置部１３に載置した商品Ｇが売れた場合でも、商品載置部１３の下側に見本商品Ｇが配置されるので、商品Ｇの展示効果を確保できる。また、受け部１４の前端部に前方下がりの傾斜状に表示板４１を設け、この表示板４１に商品名等を記載したりすることもできる。
【００４０】
（７）図１０に示す展示台１Ｆの展示台本体１０Ｆのように、支持部１２に代えて商品載置部１３の上下方向の長さよりもやや短尺な支持部１２Ｆを設けて、支持部１２Ｆと商品載置部１３間に水平部４２を形成し、支持部１２Ｆと水平部４２間に第２折曲部１６Ａを形成するとともに、水平部４２と商品載置部１３間に第２折曲部１６Ｂを形成し、商品載置部１３の前端部が設置部１１の前端部付近に配置されるように構成することも可能である。また、水平部４２の下面に下方へ突出する板状の保持部４３を形成し、この保持部４３により商品載置部１３の裏面側に対して見本商品Ｇを保持するように構成してもよい。
【００４１】
この展示台１Ｆでは、水平部４２と商品載置部１３間の第２折曲部１６Ｂから、展示台１Ｆの前側へ漏れた光と、受け部１４の先端部から展示台１Ｆの前側へ投光された光により、展示台１Ｆの前側に居る人には、第２折曲部１６Ｂと受け部１４の前端部が線状に発光しているように見えることになる。そして、商品載置部１３の上下両側に線状の発光部分が商品Ｇに近接して形成されることで、前記実施の形態と同様に、商品載置部１３に載置した商品Ｇの存在を強調した展示が可能となり、人目を惹きつけるような効果的な商品展示が可能となる。また、この展示台１Ｆでは、高さを低く設定できるので、本棚やＣＤラックやＤＶＤラックなどに展示台１を嵌め込んで使用することが可能となる。
【００４２】
なお、前記展示台本体の設置部１１を省略し、支持部１２の下端面に対面させて発光ダイオード２２が配置されるように投光手段２０を設け、支持部１２の下端部から支持部１２内へ向けて投光することも可能である。この場合には、展示台本体を支持する支持構造を別途設けることもできるし、投光手段のケーシングを箱状に構成して、ケーシングの後部に支持部１２の下端部を固定し、投光手段で展示台本体を支持することもできる。また、この場合には、支持部１２は必ずしも鉛直に配置する必要はなく、例えば水平に配置することも可能である。
なお、上述した他の実施の形態は、任意に組み合わせて用いることができる。
【符号の説明】
【００４３】
Ｇ      商品
１      展示台            １０    展示台本体
１１    設置部            １２    支持部
１３    商品載置部        １４    受け部
１５    第１折曲部        １６    第２折曲部
１７    第３折曲部
２０    投光手段          ２１    ケーシング
２２    発光ダイオード    ２３    制御手段
２４    段差部            ２５    電源ジャック
２６    電源コード        ２７    接続コード
２８    電源スイッチ
３０    スペーサ板
１Ａ    展示台            ２０Ａ  投光手段
２１Ａ  ケーシング        ２４Ａ  段差部
１Ｂ    展示台            ２０Ｂ  投光手段
２１Ｂ  ケーシング        ３１    投影台
３２    投影面
１Ｃ    展示台            １０Ｃ  展示台本体
１３Ｃ  商品載置部        ３３    段部
３４    載置部            ３５    折曲部
１Ｄ    展示台            ３６    薄板
３７    紙片              ３８    ポケット
１Ｅ    展示台            ４０    保持部
４１    表示板
１Ｆ    展示台            １０Ｆ  展示台本体
１２Ｆ  支持部            １６Ａ  第２折曲部
１６Ｂ  第２折曲部        ４２    水平部
４３    保持部
【図１】
2012024425.tif 000003
【図２】
2012024425.tif 000004
【図３】
2012024425.tif 000005
【図４】
2012024425.tif 000006
【図５】
2012024425.tif 000007
【図６】
2012024425.tif 000008
【図７】
2012024425.tif 000009
【図８】
2012024425.tif 000010
【図９】
2012024425.tif 000011
【図１０】
2012024425.tif 000012